【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
ストリーミング・ステップにおける暗号化コンテンツの全部又は一部に対する暗号解読と再生及び前記暗号化コンテンツの利用であって前記ストリーミング・ステップにおける前記暗号化コンテンツの全部又は一部に対する前記暗号解読と前記再生以外のもの（以下、「他の利用」という。）を可能にするための利用制限情報が付加された暗号解読鍵をダウンロードする暗号解読鍵ダウンロード・ステップと、
前記暗号化コンテンツをダウンロードしながら、その暗号化コンテンツに対し、前記暗号解読鍵を利用した暗号解読と再生を行なうストリーミング・ステップと、
前記暗号解読鍵ダウンロード・ステップでダウンロードされた前記暗号解読鍵を利用して前記暗号化コンテンツに対して前記他の利用を行なうことを許可するための許可処理が行なわれたか否かを判断する許可処理判断ステップと、
前記許可処理が行なわれなかったことを判断した場合には、前記暗号解読鍵を利用して前記暗号化コンテンツに対して前記他の利用を行なうことを不可能にするための処理を行なう利用不可能化ステップと、
を備えることを特徴とするコンテンツ利用制御方法。
【請求項２】
請求項１に記載のコンテンツ利用制御方法において、
前記許可処理が行なわれたことを判断した場合には、前記暗号解読鍵を利用して前記暗号化コンテンツに対して前記他の利用を行なうことを可能にするための処理を行なう利用可能化ステップを更に備えることを特徴とするコンテンツ利用制御方法。
【請求項３】
ストリーミング・ステップにおける暗号化コンテンツの全部又は一部に対する暗号解読と再生を含む利用の範囲である第１の所定の利用範囲を示す第１の所定の利用制限情報が付加された暗号解読鍵をダウンロードする第１の暗号解読鍵ダウンロード・ステップと、
前記暗号化コンテンツをダウンロードしながら、その暗号化コンテンツに対し、前記暗号解読鍵を利用した暗号解読と再生を行なうストリーミング・ステップと、
前記暗号化コンテンツの利用であって前記第１の所定の利用範囲における利用以外のもの（以下、「他の利用」という。）を許可するための許可処理が行なわれたか否かを判断する許可処理判断ステップと、
前記許可処理が行なわれたことを判断した場合には、前記暗号化コンテンツに対して前記他の利用を行なうことを可能にするための処理を行なう利用可能化ステップと、
を備えることを特徴とするコンテンツ利用制御方法。
【請求項４】
請求項３に記載のコンテンツ利用制御方法において、
前記他の利用の範囲を示す第２の所定の利用制限情報が付加された暗号解読鍵をダウンロードする第２の暗号解読鍵ダウンロード・ステップを更に備え、
前記利用可能化ステップでは、前記暗号化コンテンツと前記第２の所定の利用制限情報が付加された暗号解読鍵を保存のために記憶することを特徴とするコンテンツ利用制御方法。
【請求項５】
請求項３に記載のコンテンツ利用制御方法において、
前記他の利用の範囲を示す第２の所定の利用制限情報をダウンロードする第２の所定の利用制限情報ダウンロード・ステップを更に備え、
前記利用可能化ステップでは、前記暗号解読鍵に付加された前記第１の所定の利用制限情報を前記第２の所定の利用制限情報に書き換え、前記暗号化コンテンツと前記利用制限情報が書き換えられた前記暗号解読鍵を保存のために記憶することを特徴とするコンテンツ利用制御方法。
【請求項６】
請求項３に記載のコンテンツ利用制御方法において、
前記利用可能化ステップでは、前記第１の暗号解読鍵に付加された前記第１の所定の利用制限情報を前記他の利用の範囲を示す第２の所定の利用制限情報に書き換え、前記暗号化コンテンツと前記利用制限情報が書き換えられた前記暗号解読鍵を保存のために記憶することを特徴とするコンテンツ利用制御方法。
【請求項７】
暗号化コンテンツ・ダウンロード・ステップにおける暗号化コンテンツの全部又は一部に対する暗号解読と再生及び前記暗号化コンテンツの利用であって前記暗号化コンテンツ・ダウンロード・ステップにおける前記暗号化コンテンツの全部又は一部に対する前記暗号解読と前記再生以外のもの（以下、「他の利用」という。）を可能にするための利用制限情報が付加された暗号解読鍵を端末にダウンロードさせる暗号解読鍵ダウンロード・ステップと、
前記暗号化コンテンツを前記端末にダウンロードさせる暗号化コンテンツ・ダウンロード・ステップと、
前記端末に対し、前記暗号解読鍵を利用して前記暗号化コンテンツに対して前記他の利用を行なうことを許可するための許可処理を行なう許可処理ステップと、
を備えることを特徴とするコンテンツ利用制御方法。
【請求項８】
暗号化コンテンツ・ダウンロード・ステップにおける暗号化コンテンツの全部又は一部に対する暗号解読と再生を含む利用の範囲である第１の所定の利用範囲を示す第１の所定の利用制限情報が付加された暗号解読鍵を端末にダウンロードさせる第１の暗号解読鍵ダウンロード・ステップと、
前記暗号化コンテンツを前記端末にダウンロードさせる暗号化コンテンツ・ダウンロード・ステップと、
前記端末に対し、前記暗号化コンテンツに対し、前記暗号化コンテンツの利用であって前記第１の所定の利用範囲における利用以外のもの（以下、「他の利用」という。）を行なうことを許可するための許可処理を行なう許可処理ステップと、
を備えることを特徴とするコンテンツ利用制御方法。
【請求項９】
請求項８に記載のコンテンツ利用制御方法において、
前記他の利用を可能にするための可能化情報を前記端末にダウンロードさせる可能化情報ダウンロード・ステップを更に備えることを特徴とするコンテンツ利用制御方法。
【請求項１０】
ストリーミング手段における暗号化コンテンツの全部又は一部に対する暗号解読と再生及び前記暗号化コンテンツの利用であって前記ストリーミング手段における前記暗号化コンテンツの全部又は一部に対する前記暗号解読と前記再生以外のもの（以下、「他の利用」という。）を可能にするための利用制限情報が付加された暗号解読鍵をダウンロードする暗号解読鍵ダウンロード手段と、
前記暗号化コンテンツをダウンロードしながら、その暗号化コンテンツに対し、前記暗号解読鍵を利用した暗号解読と再生を行なうストリーミング手段と、
前記暗号解読鍵ダウンロード手段でダウンロードされた前記暗号解読鍵を利用して前記暗号化コンテンツに対して前記他の利用を行なうことを許可するための許可処理が行なわれたか否かを判断する許可処理判断手段と、
前記許可処理が行なわれなかったことを判断した場合には、前記暗号解読鍵を利用して前記暗号化コンテンツに対して前記他の利用を行なうことを不可能にするための処理を行なう利用不可能化手段と、
を備えることを特徴とするコンテンツ利用制御装置。
【請求項１１】
請求項１０に記載のコンテンツ利用制御装置において、
前記許可処理が行なわれたことを判断した場合には、前記暗号解読鍵を利用して前記暗号化コンテンツに対して前記他の利用を行なうことを可能にするための処理を行なう利用可能化手段を更に備えることを特徴とするコンテンツ利用制御装置。
【請求項１２】
ストリーミング手段における暗号化コンテンツの全部又は一部に対する暗号解読と再生を含む利用の範囲である第１の所定の利用範囲を示す第１の所定の利用制限情報が付加された暗号解読鍵をダウンロードする第１の暗号解読鍵ダウンロード手段と、
前記暗号化コンテンツをダウンロードしながら、その暗号化コンテンツに対し、前記暗号解読鍵を利用した暗号解読と再生を行なうストリーミング手段と、
前記暗号化コンテンツの利用であって前記第１の所定の利用範囲における利用以外のもの（以下、「他の利用」という。）を許可するための許可処理が行なわれたか否かを判断する許可処理判断手段と、
前記許可処理が行なわれたことを判断した場合には、前記暗号化コンテンツに対して前記他の利用を行なうことを可能にするための処理を行なう利用可能化手段と、
を備えることを特徴とするコンテンツ利用制御装置。
【請求項１３】
請求項１２に記載のコンテンツ利用制御装置において、
前記他の利用の範囲を示す第２の所定の利用制限情報が付加された暗号解読鍵をダウンロードする第２の暗号解読鍵ダウンロード手段を更に備え、
前記利用可能化手段は、前記暗号化コンテンツと前記第２の所定の利用制限情報が付加された暗号解読鍵を保存のために記憶することを特徴とするコンテンツ利用制御装置。
【請求項１４】
請求項１２に記載のコンテンツ利用制御装置において、
前記他の利用の範囲を示す第２の所定の利用制限情報をダウンロードする第２の所定の利用制限情報ダウンロード手段を更に備え、
前記利用可能化手段は、前記暗号解読鍵に付加された前記第１の所定の利用制限情報を前記第２の所定の利用制限情報に書き換え、前記暗号化コンテンツと前記利用制限情報が書き換えられた前記暗号解読鍵を保存のために記憶することを特徴とするコンテンツ利用制御装置。
【請求項１５】
請求項１２に記載のコンテンツ利用制御装置において、
前記利用可能化手段は、前記第１の暗号解読鍵に付加された前記第１の所定の利用制限情報を前記他の利用の範囲を示す第２の所定の利用制限情報に書き換え、前記暗号化コンテンツと前記利用制限情報が書き換えられた前記暗号解読鍵を保存のために記憶することを特徴とするコンテンツ利用制御装置。
【請求項１６】
暗号化コンテンツ・ダウンロード手段における暗号化コンテンツの全部又は一部に対する暗号解読と再生及び前記暗号化コンテンツの利用であって前記暗号化コンテンツ・ダウンロード手段における前記暗号化コンテンツの全部又は一部に対する前記暗号解読と前記再生以外のもの（以下、「他の利用」という。）を可能にするための利用制限情報が付加された暗号解読鍵を端末にダウンロードさせる暗号解読鍵ダウンロード手段と、
前記暗号化コンテンツを前記端末にダウンロードさせる暗号化コンテンツ・ダウンロード手段と、
前記端末に対し、前記暗号解読鍵を利用して前記暗号化コンテンツに対して前記他の利用を行なうことを許可するための許可処理を行なう許可処理手段と、
を備えることを特徴とするコンテンツ利用制御装置。
【請求項１７】
暗号化コンテンツ・ダウンロード手段における暗号化コンテンツの全部又は一部に対する暗号解読と再生を含む利用の範囲である第１の所定の利用範囲を示す第１の所定の利用制限情報が付加された暗号解読鍵を端末にダウンロードさせる第１の暗号解読鍵ダウンロード手段と、
前記暗号化コンテンツを前記端末にダウンロードさせる暗号化コンテンツ・ダウンロード手段と、
前記端末に対し、前記暗号化コンテンツに対し、前記暗号化コンテンツの利用であって前記第１の所定の利用範囲における利用以外のもの（以下、「他の利用」という。）を行なうことを許可するための許可処理を行なう許可処理手段と、
を備えることを特徴とするコンテンツ利用制御装置。
【請求項１８】
請求項１７に記載のコンテンツ利用制御装置において、
前記他の利用を可能にするための可能化情報を前記端末にダウンロードさせる可能化情報ダウンロード手段を更に備えることを特徴とするコンテンツ利用制御装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】